(57)【要約】      （修正有）【課題】起動電力を昇圧して、電子装置を順調に起動する。【解決手段】電子装置（３）への起動電力を供給する電源（２０）に応用され、且つ前記電子装置（３）の動作周波数が周波数調整ユニット（３０）に決められ、切換回路（５）と、切換制御装置（４）と、を含む電源昇圧起動回路において、前記切換回路（５）は、前記電源（２０）にフィードバックされるフィードバック信号を調整して前記起動電力を切り換え、前記切換制御装置（４）は、前記切換回路（５）の動作を触発することを特徴とする電源昇圧起動回路。【選択図】図１
0003138919.tif 000002
【実用新案登録請求の範囲】
【請求項１】
電子装置（３）への起動電力を供給する電源（２０）に応用され、且つ前記電子装置（３）の動作周波数が周波数調整ユニット（３０）に決められ、切換回路（５）と、切換制御装置（４）と、を含む電源昇圧起動回路において、
前記切換回路（５）は、前記電源（２０）にフィードバックされるフィードバック信号を調整して前記起動電力を切り換え、
前記切換制御装置（４）は、前記切換回路（５）の動作を触発することを特徴とする、
電源昇圧起動回路。
【請求項２】
前記切換回路（５）は、一組以上のインピーダンス回路と、複数の連接箇所を持つ切換スイッチ（５１）と、から構成され、前記切換スイッチ（５１）が前記切換制御装置（４）と連接しており、前記切換回路（５）は前記切換回路（５）の切換状態を表示する発光ダイオード（６）と連接していることを特徴とする、請求項１に記載の電源昇圧起動回路。
【請求項３】
前記切換制御装置（４）は、前記切換スイッチ（５１）を触発して連接箇所を変更可能なスイッチ部材であることを特徴とする、請求項２に記載の電源昇圧起動回路。
【請求項４】
前記切換制御装置（４）は、電源供給器（２）のケーシングに設けられたボタン又はツマミであることを特徴とする、請求項３に記載の電源昇圧起動回路。
【考案の詳細な説明】
【技術分野】
【０００１】
本考案は、電源供給器の出力を調整可能な電源昇圧起動回路に関するものである。
【背景技術】
【０００２】
目下、パーソナルコンピュータ（以下、パソコンという）の応用がどんどん広汎になり、且つマルチジョブに演算可能なオペレーティングシステム及び各種類のアプリケーションプログラムを有するので、パソコンのハードウェアの演算速度、データのレジスト及び伝送の速度はソフトウェアの要求に応じてアップグレードすることが必要である。そして従来は省スペース及びコストダウンのために下位のサウンドボード及びディスプレイカードなどがマザーボードに統合されて一般のユーザを満足するが、マザーボードに統合されるサウンドボード及びディスプレイカードなどはより複雑なソフトウェア（ゲーム又は画像処理などのアプリケーションプログラム）の大量の演算に満足できず、そのため、マザーボードに挿入される各種類の独立の拡張ボードが次々と開発されている。しかし、上記の独立の拡張ボード（例えばサウンドボード及びディスプレイカードなど）の消耗電力は下位のものよりも遥かに多く、且つメモリカード（ＲＡＭ）の動作電圧も動作周波数の増加に伴って高くなり、一部のユーザは更にメモリカードの動作周波数をメーカのレーティング周波数よりも速くしており、そうすると、必要な動作電圧は更に増加するようになり、電源供給器からの電圧が起動瞬間のパソコンの各部材の動作電圧を満足できないと、パソコンは起動不能になり、このとき、バイオス（ＢＩＯＳ）に入って電圧を調整することもできず、そのため、パソコンは使用不能になる。上記の問題を解決するために、特許文献１の「出力電圧の調整構造」が提案され、この発明は、電源供給器を含む電源に適用可能であり、複数の分圧抵抗器と、電力を出力する出力端とを含み、前記分圧抵抗器が更に別の連接器と別の抵抗器と連接し、前記連接器は二つの抵抗器を跨り可能であり、そうすると、前記二つの抵抗器が並列接続になって合成抵抗値が変更され、これにより、前記出力端からの電圧を調整することができ、出力電圧が低すぎてパソコンが起動不能である場合には、前記連接器を変更すると出力電圧を増加可能である。しかし、このような連接器を設置すると電源供給器の生産コストが増加し、そしてパソコンが起動不能であるときに、ユーザはパソコンをオフして適当な連接器を見出すまで連接器を変更して試すことを繰り返す必要があり、使用上は極めて不便であった。
【特許文献１】台湾特許第Ｍ２６６６４０号明細書
【考案の開示】
【考案が解決しようとする課題】
【０００３】
本考案の主な目的は、起動電力を増大して電子装置を順調に起動可能である電源昇圧起動回路を提供することにある。
【課題を解決するための手段】
【０００４】
上記目的を達成するためになされた本願の考案は、電子装置への起動電力を供給する電源に応用され、且つ前記電子装置の動作周波数が周波数調整ユニットに決められ、切換回路と、切換制御装置と、を含む電源昇圧起動回路において、前記切換回路は、前記電源にフィードバックされるフィードバック信号を調整して前記起動電力を切り換え、前記切換制御装置は、前記切換回路の動作を触発する（引き起こす）ことを特徴とする電源昇圧起動回路であることを要旨としている。
【０００５】
本願の考案では、前記切換回路は、一組以上のインピーダンス回路と、複数の連接箇所を持つ切換スイッチと、から構成され、前記切換スイッチが前記切換制御装置と連接しており、前記切換回路は前記切換回路の切換状態を表示する発光ダイオードと連接していることを特徴とする請求項１に記載の電源昇圧起動回路であることを要旨としている。
【０００６】
本願の考案では、前記切換制御装置は、前記切換スイッチを触発して連接箇所を変更可能なスイッチ部材であることを特徴とする請求項２に記載の電源昇圧起動回路であることを要旨としている。
【０００７】
本願の考案では、前記切換制御装置は、電源供給器のケーシングに設けられたボタン又はツマミであることを特徴とする請求項３に記載の電源昇圧起動回路であることを要旨としている。
【考案の効果】
【０００８】
本考案の電源昇圧起動回路によれば、起動電力を増大して電子装置を順調に起動可能である効果を有する。
【考案を実施するための最良の形態】
【０００９】
以下、添付図面を参照して本考案の好適な実施の形態を詳細に説明する。
【００１０】
まず、図１を参照する。本考案の電源昇圧起動回路の回路構成は、電源２０が入力電力を受けて起動電力を発生して電子装置３を駆動する。前記入力電力は、交流電力でもいいし、直流電力でもよい（本実施の形態では交流電力）。また、電子装置３の動作周波数を制御する周波数調整ユニット３０が設けてあり、前記電子装置３は相違する動作周波数での起動電力が異なる。電源２０と電子装置３の間から取られるフィードバック信号が切換回路５に伝送され、切換回路５は、電源２０に伝送されるフィードバック信号の大きさを調整するための一組以上のインピーダンス回路を有し、切換制御装置４は、切換回路５を触発して、切換回路５を異なるインピーダンス回路の間に切換え、これにより、ユーザは電子装置３の動作周波数を見て電源２０からの起動電力を調整可能であり、そうすると、電子装置３を正常に起動することができる。前記切換制御装置４は、図２及び図３に示すように、前記切換スイッチ５１を触発して連接箇所を変更可能なスイッチ部材であり、また、前記切換制御装置４は、前記切換制御装置４の動作状態を表示する発光ダイオード６と連接してもよい。
【００１１】
次に、図２を参照する。図２は本考案の実施の形態の回路を示すブロック図である。前記電源２０は電源供給器２でもよく、前記電源供給器２は外部からの入力電力を受けて起動電力に変換して少なくと一つの電子装置３を駆動し、且つ前記電源供給器２は、前記起動電力を切換える切換回路５と、前記切換回路５の動作を触発する切換制御装置４と、を含み、ユーザは、切換制御装置４を押圧し又は回転することにより、切換回路５を触発して電源供給器２から出力する起動電力の電圧を変更可能である。前記電源供給器２は、オン・オフユニット２９と、常備電力系統２８と、入力電力を受ける整流平滑ユニット２１と、力率矯正ユニット２２と、パルス変調ユニット２５と、動作周波数がパルス変調ユニット２５に制御されるスイッチユニット２４と、トランス２３と、トランス２３の二次側と連接している整流出力ユニット２６と、フィードバック２７と、を含み、オン・オフユニット２９がオンにされたときに、入力電力が整流平滑ユニット２１を経由して力率矯正ユニット２２に伝送されて、力率矯正ユニット２２が電力を常備電力系統２８とトランス２３とに伝送して、常備電力系統２８が触発されて起動すると、常備電力がパルス変調ユニット２５に供給されてパルス変調ユニット２５がスイッチユニット２４の動作周波数の信号を発生し、これにより、トランス２３により電力が変換されて整流出力ユニット２６に伝送して、整流出力ユニット２６が起動電力を発生して電子装置３を駆動する。なお、更に、整流出力ユニット２６と電子装置３の間にはフィードバック信号を取り出すための切換回路５が設けてあり、切換回路５によりフィードバック信号が取り出されてフィードバックユニット２７に伝送し、フィードバックユニット２７はパルス変調ユニット２５の出力調整の参照信号を発生する。また、切換回路５は、一組以上のインピーダンス回路と、複数の連接箇所を持つ切換スイッチ５１と、から構成され、本実施の形態では、図２に示すように、切換回路５が二組の回路を有し、且つ切換回路５が切換制御装置４と連接しており、切換制御装置４は、電源供給器２のケーシングに設けられたボタンやツマミであり、二段式（オン・オフ）の切換を有し、切換スイッチ５１の連接箇所を制御する。これにより、切換回路５は、異なるインピーダンス値に切換えてフィードバック信号の大きさを調整可能であり、ひいてはパルス変調ユニット２５を制御してトランス２３の出力電圧を増大して起動電力を増加可能である。また、切換制御装置４は切換回路５の切換状態を表示する発光ダイオード６と連接している。このように、上記の構成によれば、電子装置３に動作周波数が設定され、電源２０からの起動電力が電子装置３に供給され、且つ電源２０は電子装置３が正常に起動しているかどうかを検知する。前記電源２０はパソコンに組み付けられた電源供給器２であってもよい。なお、前記電子装置３は、メモリ３２であってもいいし、ＣＰＵ３１であってもいいし、ディスプレカードであってもよい。前記周波数調整ユニット３０は、バイオス（ＢＩＯＳ）であってもいいし、電子装置３のマザーボードに設置されるジャンパ（Jumper）であってもよい。電子装置３が組み付けられたマザーボードは、電源オン信号又は電源オフ信号を出力することにより、電子装置３が電気的に連通しているかどうかを判断してもよい。電子装置３が正常に起動していない場合には、ユーザが切換制御装置４を押圧し又は旋回することにより切換回路５を触発すると、起動電力を切換可能であり、すなわち、電子装置３の動作周波数がメーカのレーティング周波数よりも速い場合に、電源供給器２は起動電力を適当に増大可能である。
【００１２】
また、図３を参照する。図３は本考案の別の実施の形態の回路を示すブロック図である。本実施の形態では、電源供給器２の構成および動作原理は図２に示した回路と同じであるので、説明を省略する。なお、整流出力ユニット２６と連接する切換回路５は多数組の異なるインピーダンスを持つ回路を有する。図３における切換回路５の抵抗器Ｒ１，Ｒ２及びＲ３の抵抗値が相違しており、且つ切換制御装置４は複数段の切換状態を有し、これにより、ユーザは切換回路５の連接箇所を選択的に切換可能であり、すなわち、状況を見て適当に起動電力を調整可能であり、また、切換制御装置４は切換回路５の切換状態を表示する発光ダイオード６と連接している。
【００１３】
また、図４を参照する。図４は本考案をパソコンに適用した状態の概略図である。図４に示すように、電源供給器２は、パソコンのケーシングに組み付けられ、動作周波数をメーカのレーティング周波数よりも速くすることができるＣＰＵ３１やメモリ３２などの電子装置３の起動電力を供給するものである。ＣＰＵ３１やメモリ３２などの電子装置３の動作周波数をメーカのレーティング周波数よりも速くしたために電源供給器２のレーティング出力電圧によりパソコンを起動不能である場合には、切換制御装置４を押圧し又は旋回すると電源供給器２の出力電圧が昇圧し、これにより、ＣＰＵ３１やメモリ３２などの電子装置３を起動可能であり、且つ起動電力の電圧上昇幅がレーティング出力電圧の３％以内に制御され、そうすると、パソコン業界のパソコン動作電圧スペックに合うことができる。
【００１４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施の形態に変更、追加、または、削除を施してもよいことがわかる。
【図面の簡単な説明】
【００１５】
【図１】本考案の回路を示すブロック図である。
【図２】本考案の実施の形態の回路を示すブロック図である。
【図３】本考案の別の実施の形態の回路を示すブロック図である。
【図４】本考案をパソコンに適用した状態の概略図である。
【符号の説明】
【００１６】
２    電源供給器              ３    電子装置
４    切換制御装置            ５    切換回路
６    発光ダイオード          ２０  電源
２１  整流平滑ユニット        ２２  力率矯正ユニット
２３  トランス                ２４  スイッチユニット
２５  パルス変調ユニット      ２６  整流出力ユニット
２７  フィードバックユニット    ２８  常備電力系統
２９  オン・オフユニット      ３０  周波数調整ユニット
３１  ＣＰＵ                  ３２  メモリ
５１  切換スイッチ            Ｒ１，Ｒ２，Ｒ３    抵抗器
【図１】
0003138919.tif 000003
【図２】
0003138919.tif 000004
【図３】
0003138919.tif 000005
【図４】
0003138919.tif 000006